(57)【要約】【課題】複数の記録媒体のうちの所望の記録媒体に所望の画像を自動的に記録させる。【解決手段】シャッターボタンが押下されたか否かを判断し（Ｓ２０５）、押下されたら、動画モードであるか否かを判断する（Ｓ２０７）。静止画モードである場合には、静止画撮影処理を実行する（Ｓ２０８）。静止画の記録先がユーザにより設定されているか否かを判断し（Ｓ２０９）、設定されている場合には、静止画データを、設定されている記録メディアに転送記録する（Ｓ２１３）。Ｓ２０７での判断の結果、動画モードが設定されている場合には、動画撮影を開始し（Ｓ２１４）、再度シャッターボタンが押下された場合には、動画撮影を停止する（Ｓ２１７）。動画の記録先がユーザにより設定されているか否かを判断し（Ｓ２１８）、設定されている場合には、動画データを、設定されている記録メディアに転送記録する（Ｓ２２２）。【選択図】      図５
2006014350.tif 000002
【特許請求の範囲】
【請求項１】
被写体を撮像し画像データを出力する撮像手段と、
この撮像手段から出力された画像データを複数の記録媒体のうちのいずれかに記録する記録制御手段と、
前記撮像手段から出力される画像データのうち所定の条件を満たす画像データの記録先として、前記複数の記録媒体のうち任意の記録媒体を選択する選択手段とを備え、
前記記録制御手段は、前記撮像手段から出力される画像データのうち前記所定の条件を満たす画像データを、前記選択手段により前記所定の条件を満たす画像データの記録先として選択された記録媒体に記録することを特徴とする撮像記録装置。
【請求項２】
複数の条件のうち任意の条件を選択する第２の選択手段を備え、
前記選択手段は、前記第２の選択手段により選択された条件を満たす画像データの記録先として、前記複数の記録媒体のうち任意の記録媒体を選択し、
前記記録制御手段は、前記撮像手段から出力される画像データのうち前記第２の選択手段により選択された条件を満たす画像データを、前記選択手段により選択された記録媒体に記録することを特徴とする請求項１記載の撮像記録装置。
【請求項３】
前記選択手段により所定の条件を満たす画像データの記録先として選択された記録媒体と前記所定の条件との対応関係を示す情報を記憶する記憶手段を備え、
前記記録制御手段は、前記撮像手段から出力される画像データのうち前記所定の条件を満たす画像データを、前記記憶手段に記憶されている前記対応関係を示す情報に基づき特定される記録媒体に記録することを特徴とする請求項１記載の撮像記録装置。
【請求項４】
複数の条件のうち任意の条件を選択する第２の選択手段を備え、
前記選択手段は、前記第２の選択手段により選択された条件を満たす画像データの記録先として、前記複数の記録媒体のうち任意の記録媒体を選択し、
前記記憶手段は、前記選択手段により選択された記録媒体と、前記第２の選択手段により選択された条件との対応関係を示す情報を記憶し、
前記記録制御手段は、前記記憶手段に記憶されている前記対応関係を示す情報に基づき特定される条件を満たす画像データを、前記記憶手段に記憶されている前記対応関係を示す情報に基づき特定される記録媒体に記録することを特徴とする請求項３記載の撮像記録装置。
【請求項５】
複数の撮影モードのうち任意の撮影モードを設定する設定手段を備え、
前記選択手段は、複数の撮影モードのうち所定の撮影モードにおいて前記撮像手段から出力される画像データの記録先として、前記複数の記録媒体のうち任意の記録媒体を選択し、
前記記録制御手段は、前記設定手段により前記所定の撮影モードが設定されているときに前記撮像手段から出力された画像データを、前記選択手段により前記所定の撮影モードにおいて前記撮像手段から出力される画像データの記録先として選択された記録媒体に記録することを特徴とする請求項１乃至４のいずれかに記載の撮像記録装置。
【請求項６】
前記選択手段は、所定の画像内容を有する画像データの記録先として、前記複数の記録媒体のうち任意の記録媒体を選択し、
前記記録制御手段は、前記撮像手段から出力される画像データのうち前記所定の画像内容を有する画像データを、前記選択手段により所定の画像内容を有する画像データの記録先として選択された記録媒体に記録することを特徴とする請求項１乃至４のいずれかに記載の撮像記録装置。
【請求項７】
前記選択手段は、所定の撮影条件を有する画像データの記録先として、前記複数の記録媒体のうち任意の記録媒体を選択し、
前記記録制御手段は、前記撮像手段から出力される画像データのうち前記所定の撮影条件を満たす画像データを、前記選択手段により所定の撮影条件を満たす画像データの記録先として選択された記録媒体に記録することを特徴とする請求項１乃至４のいずれかに記載の撮像記録装置。
【請求項８】
前記選択手段により前記所定の条件を満たす画像データの記録先として任意の記録媒体が選択されているか否かを判断する判断手段を更に備え、
前記記録制御手段は、前記判断手段により任意の記録媒体が選択されていないと判断された場合、前記所定の条件を満たす画像データを、当該撮像記録装置において予め決定されている記録媒体に記録することを特徴とする請求項１乃至７のいずれかに記載の撮像記録装置。
【請求項９】
前記複数の記録媒体は、当該撮像記録装置に対して着脱自在な記録媒体を含むことを特徴とする請求項１乃至８のいずれかに記載の撮像記録装置。
【請求項１０】
前記記録制御手段は、前記選択手段により前記所定の条件を満たす画像データの記録先として選択された記録媒体が着脱自在な記録媒体である場合に該記録媒体が装着されているか否かを判別する判別手段を含み、
この判別手段により記録媒体が撮像記録装置に装着されていないと判別された場合、前記所定の条件を満たす画像データを他の記録媒体に記録することを特徴とする請求項９記載の撮像記録装置。
【請求項１１】
前記複数の記録媒体は、当該撮像記録装置に内蔵されている記録媒体を含むことを特徴とする請求項１乃至１０のいずれかに記載の撮像記録装置。
【請求項１２】
前記撮像手段から出力された画像データを外部装置に出力する出力手段を備え、
前記複数の記録媒体は、前記外部装置に備えられている記録媒体を含むことを特徴とする請求項１乃至１１のいずれかに記載の撮像記録装置。
【請求項１３】
前記複数の記録媒体は、異なるタイプの記録媒体を含むことを特徴とする請求項１乃至１２のいずれかに記載の撮像記録装置。
【請求項１４】
画像データを記録する記録媒体と、
この記録媒体に記録されている画像データを複数の記録媒体のうちのいずれかに記録する記録制御手段と、
前記記録媒体に記録されている画像データのうち所定の条件を満たす画像データの記録先として、前記複数の記録媒体のうち任意の記録媒体を選択する選択手段とを備え、
前記記録制御手段は、前記記録媒体に記録されている画像データのうち前記所定の条件を満たす画像データを、前記選択手段により前記所定の条件を満たす画像データの記録先として選択された記録媒体に記録することを特徴とする画像処理装置。
【請求項１５】
前記記録制御手段は、前記所定の条件を満たす画像データが記録されていた記録媒体と、前記選択手段により前記所定の条件を満たす画像データの記録先として選択された記録媒体とが同一の記録媒体であるか否かを判断する判断手段を含み、
この判断手段により同一の記録媒体でないと判断された場合、前記所定の条件を満たす画像データを、前記選択手段により前記所定の条件を満たす画像データの記録先として選択された記録媒体に記録することを特徴とする請求項１４記載の画像処理装置。
【請求項１６】
複数の条件のうち任意の条件を選択する第２の選択手段を備え、
前記選択手段は、前記第２の選択手段により選択された条件を満たす画像データの記録先として、前記複数の記録媒体のうち任意の記録媒体を選択し、
前記記録制御手段は、前記記録媒体に記録されている画像データのうち前記第２の選択手段により選択された条件を満たす画像データを、前記選択手段により選択された記録媒体に記録することを特徴とする請求項１４又は１５記載の画像処理装置。
【請求項１７】
前記選択手段により所定の条件を満たす画像データの記録先として選択された記録媒体と前記所定の条件との対応関係を示す情報を記憶する記憶手段を備え、
前記記録制御手段は、前記記録媒体に記録されている画像データのうち前記所定の条件を満たす画像データを、前記記憶手段に記憶されている前記対応関係を示す情報に基づき特定される記録媒体に記録することを特徴とする請求項１４又は１５記載の画像処理装置。
【請求項１８】
複数の条件のうち任意の条件を選択する第２の選択手段を備え、
前記選択手段は、前記第２の選択手段により選択された条件を満たす画像データの記録先として、前記複数の記録媒体のうち任意の記録媒体を選択し、
前記記憶手段は、前記選択手段により選択された記録媒体と、前記第２の選択手段により選択された条件との対応関係を示す情報を記憶し、
前記記録制御手段は、前記記憶手段に記憶されている前記対応関係を示す情報に基づき特定される条件を満たす画像データを、前記記憶手段に記憶されている前記対応関係を示す情報に基づき特定される記録媒体に記録することを特徴とする請求項１７記載の画像処理装置。
【請求項１９】
前記画像データは撮影モード情報を含み、
前記選択手段は、所定の撮影モード情報を含む画像データの記録先として、前記複数の記録媒体のうち任意の記録媒体を選択し、
前記記録制御手段は、前記記録媒体に記録されている画像データのうち前記所定の撮影モード情報を含む画像データを、前記選択手段により前記所定の撮影モード情報を含む画像データの記録先として選択された記録媒体に記録することを特徴とする請求項１４乃至１８のいずれかに記載の画像処理装置。
【請求項２０】
前記選択手段は、所定の画像内容を有する画像データの記録先として、前記複数の記録媒体のうち任意の記録媒体を選択し、
前記記録制御手段は、前記記録媒体に記録されている画像データのうち前記所定の画像内容を有する画像データを、前記選択手段により所定の画像内容を有する画像データの記録先として選択された記録媒体に記録することを特徴とする請求項１４乃至１８のいずれかに記載の画像処理装置。
【請求項２１】
前記画像データは撮影情報を含み、
前記選択手段は、所定の撮影情報を含む画像データの記録先として、前記複数の記録媒体のうち任意の記録媒体を選択し、
前記記録制御手段は、前記記録媒体に記録されている画像データのうち前記所定の撮影情報を含む画像データを、前記選択手段により前記所定の撮影情報を含む画像データの記録先として選択された記録媒体に記録することを特徴とする請求項１４乃至１８のいずれかに記載の画像処理装置。
【請求項２２】
前記複数の記録媒体は、当該画像処理装置に対して着脱自在な記録媒体を含むことを特徴とする請求項１４乃至２１のいずれかに記載の画像処理装置。
【請求項２３】
前記複数の記録媒体は、当該画像記録装置に内蔵されている記録媒体を含むことを特徴とする請求項１４乃至２２のいずれかに記載の画像処理装置。
【請求項２４】
前記記録媒体に記録されている画像データを外部装置に出力する出力手段を備え、
前記複数の記録媒体は、前記外部装置に備えられている記録媒体を含むことを特徴とする請求項１４乃至２３のいずれかに記載の画像処理装置。
【請求項２５】
前記複数の記録媒体は、異なるタイプの記録媒体を含むことを特徴とする請求項１４乃至２４のいずれかに記載の画像処理装置。
【請求項２６】
撮像手段を備える撮像記録装置が有するコンピュータを、
前記撮像手段から出力される画像データのうち所定の条件を満たす画像データの記録先として、複数の記録媒体のうち任意の記録媒体を選択する選択手段と、
前記撮像手段から出力される画像データのうち前記所定の条件を満たす画像データを、前記選択手段により前記所定の条件を満たす画像データの記録先として選択された記録媒体に記録する記録制御手段と
して機能させることを特徴とする撮像記録制御プログラム。
【請求項２７】
記録媒体を備える画像処理装置が有するコンピュータを、
前記記録媒体に記録されている画像データのうち所定の条件を満たす画像データの記録先として、複数の記録媒体のうち任意の記録媒体を選択する選択手段と、
前記記録媒体に記録されている画像データのうち前記所定の条件を満たす画像データを、前記選択手段により前記所定の条件を満たす画像データの記録先として選択された記録媒体に記録する記録制御手段と
して機能させることを特徴とする画像処理プログラム。
【請求項２８】
撮像手段から出力される画像データのうち所定の条件を満たす画像データの記録先として、複数の記録媒体のうち任意の記録媒体を選択する工程と、
前記撮像手段から出力される画像データのうち前記所定の条件を満たす画像データを、前記所定の条件を満たす画像データの記録先として選択された記録媒体に記録する工程と
を含むことを特徴とする撮像記録方法。
【請求項２９】
記録媒体に記録されている画像データのうち所定の条件を満たす画像データの記録先として、複数の記録媒体のうち任意の記録媒体を選択する工程と、
前記記録媒体に記録されている画像データのうち前記所定の条件を満たす画像データを、前記所定の条件を満たす画像データの記録先として選択された記録媒体に記録する工程と
を含むことを特徴とする画像処理方法。
【発明の詳細な説明】
【技術分野】
【０００１】
本発明は、撮像記録装置、画像処理装置、これらの制御プログラム及び撮像記録方法並びに画像処理方法に関する。
【背景技術】
【０００２】
従来、撮像記録装置の一種である電子スチルカメラとしては、複数の記録媒体を装填するものが提案されている。この電子スチルカメラは、撮影距離や撮影モードに応じて、複数の記録媒体のいずれかを自動的に選択し、この選択した記録媒体に撮影した画像データを記録する。したがって、各記録媒体には、撮影距離や撮影モード毎の画像データが記録されることとなり、撮影後におけるユーザによる煩雑な画像データの分類編集を回避することができるとするものである（例えば、特許文献１参照。）。
【特許文献１】特開平６−８６１２８号（第１−３頁）
【発明の開示】
【発明が解決しようとする課題】
【０００３】
しかしながら、係る従来の電子スチルカメラにあっては、前述のように撮影した画像データを記録すべき記録媒体が撮影モード等に応じて固定的に決められている。したがって、画像データを記録させる記録媒体に関してユーザが関与することはできず、所望の記録媒体に所望の撮影モードで撮影した画像データを自動的に記録させることはできない。よって、撮影後において、ユーザよる画像データの分類編集を必要とする場合も生じ得るものであった。
【０００４】
本発明は、係る課題に鑑みてなされたものであり、複数の記録媒体のうちの所望の記録媒体に所望の画像を自動的に記録させることのできる、撮像記録装置、画像処理装置、これらの制御プログラム及び撮像記録方法並びに画像処理方法を提供することを目的とするものである。
【課題を解決するための手段】
【０００５】
前記課題を解決するために請求項１に係る発明にあっては、被写体を撮像し画像データを出力する撮像手段と、この撮像手段から出力された画像データを複数の記録媒体のうちのいずれかに記録する記録制御手段と、前記撮像手段から出力される画像データのうち所定の条件を満たす画像データの記録先として、前記複数の記録媒体のうち任意の記録媒体を選択する選択手段とを備え、前記記録制御手段は、前記撮像手段から出力される画像データのうち前記所定の条件を満たす画像データを、前記選択手段により前記所定の条件を満たす画像データの記録先として選択された記録媒体に記録する。
【０００６】
したがって、撮影を行うと、所定の条件を満たす撮影画像は、ユーザが予め選択した複数の記録媒体のいずれか任意の記録媒体に記録される。つまり、所定の条件を満たす撮影画像はユーザが予め選択した所定の条件に対する所望の記録媒体に自動的に記録されることとなる。
【０００７】
また、請求項２の発明に係る撮像記録装置にあっては、複数の条件のうち任意の条件を選択する第２の選択手段を備え、前記選択手段は、前記第２の選択手段により選択された条件を満たす画像データの記録先として、前記複数の記録媒体のうち任意の記録媒体を選択し、前記記録制御手段は、前記撮像手段から出力される画像データのうち前記第２の選択手段により選択された条件を満たす画像データを、前記選択手段により選択された記録媒体に記録する。したがって、ユーザが複数の条件の中から任意に選択した条件を満たす撮影画像を、ユーザが予め選択した複数の記録媒体のいずれか任意の記録媒体に自動的に記録することができる。
【０００８】
また、請求項３の発明に係る撮像記録装置にあっては、前記選択手段により所定の条件を満たす画像データの記録先として選択された記録媒体と前記所定の条件との対応関係を示す情報を記憶する記憶手段を備え、前記記録制御手段は、前記撮像手段から出力される画像データのうち前記所定の条件を満たす画像データを、前記記憶手段に記憶されている前記対応関係を示す情報に基づき特定される記録媒体に記録する。したがって、メモリに記憶されているユーザが予め選択した任意の記録媒体と所定の条件との対応関係を示す情報に基づき、撮影画像のうち所定の条件を満たす撮影画像をユーザが予め選択した任意の記録媒体に確実に記録することができる。
【０００９】
また、請求項４の発明に係る撮像記録装置にあっては、複数の条件のうち任意の条件を選択する第２の選択手段を備え、前記選択手段は、前記第２の選択手段により選択された条件を満たす画像データの記録先として、前記複数の記録媒体のうち任意の記録媒体を選択し、前記記憶手段は、前記選択手段により選択された記録媒体と、前記第２の選択手段により選択された条件との対応関係を示す情報を記憶し、前記記録制御手段は、前記記憶手段に記憶されている前記対応関係を示す情報に基づき特定される条件を満たす画像データを、前記記憶手段に記憶されている前記対応関係を示す情報に基づき特定される記録媒体に記録する。したがって、メモリに記憶されている、ユーザが予め選択した任意の記録媒体と同じくユーザが予め選択した任意の条件との対応関係を示す情報に基づき、撮影画像のうちユーザが予め選択した任意の条件を満たす撮影画像をユーザが予め選択した任意の記録媒体に確実に記録することができる。
【００１０】
また、請求項５の発明に係る撮像記録装置にあっては、複数の撮影モードのうち任意の撮影モードを設定する設定手段を備え、前記選択手段は、複数の撮影モードのうち所定の撮影モードにおいて前記撮像手段から出力される画像データの記録先として、前記複数の記録媒体のうち任意の記録媒体を選択し、前記記録制御手段は、前記設定手段により前記所定の撮影モードが設定されているときに前記撮像手段から出力された画像データを、前記選択手段により前記所定の撮影モードにおいて前記撮像手段から出力される画像データの記録先として選択された記録媒体に記録する。したがって、いずれかの撮影モードを設定して撮影を行うと、この撮影モードで取得された撮影画像は、ユーザが予め選択した複数の記録媒体のいずれか任意の記録媒体に記録される。つまり、各種撮影モードで撮影した撮影画像はユーザが予め選択した当該撮影モードに対する所望の記録媒体に自動的に記録されることとなる。
【００１１】
また、請求項６の発明に係る撮像記録装置にあっては、前記選択手段は、所定の画像内容を有する画像データの記録先として、前記複数の記録媒体のうち任意の記録媒体を選択し、前記記録制御手段は、前記撮像手段から出力される画像データのうち前記所定の画像内容を有する画像データを、前記選択手段により所定の画像内容を有する画像データの記録先として選択された記録媒体に記録する。したがって、撮影を行うと、所定の画像内容を有する撮影画像は、ユーザが予め選択した複数の記録媒体のいずれか任意の記録媒体に記録される。つまり、所定の画像内容を有する撮影画像はユーザが予め選択した所定の画像内容に対する所望の記録媒体に自動的に記録されることとなる。
【００１２】
また、請求項７の発明に係る撮像記録装置にあっては、前記選択手段は、所定の撮影条件を有する画像データの記録先として、前記複数の記録媒体のうち任意の記録媒体を選択し、前記記録制御手段は、前記撮像手段から出力される画像データのうち前記所定の撮影条件を満たす画像データを、前記選択手段により所定の撮影条件を満たす画像データの記録先として選択された記録媒体に記録する。したがって、撮影を行うと、所定の撮影条件を有する撮影画像は、ユーザが予め選択した複数の記録媒体のいずれか任意の記録媒体に記録される。つまり、所定の撮影条件を有する撮影画像はユーザが予め選択した所定の撮影条件に対する所望の記録媒体に自動的に記録されることとなる。
【００１３】
また、請求項８の発明に係る撮像記録装置にあっては、前記選択手段により前記所定の条件を満たす画像データの記録先として任意の記録媒体が選択されているか否かを判断する判断手段を更に備え、前記記録制御手段は、前記判断手段により任意の記録媒体が選択されていないと判断された場合、前記所定の条件を満たす画像データを、当該撮像記録装置において予め決定されている記録媒体に記録する。したがって、所定の条件を満たす撮影画像の記録先を選択する操作が行われなかった場合であっても、所定の条件を満たす撮影画像を確実に記録することができる。
【００１４】
また、請求項９の発明に係る撮像記録装置にあっては、前記複数の記録媒体は、当該撮像記録装置に対して着脱自在な記録媒体を含む。したがって、ユーザは所定の条件を満たす撮影画像の記録先として撮像記録装置に対して着脱自在な記録媒体を選択することが可能になる。
【００１５】
また、請求項１０の発明に係る撮像記録装置にあっては、前記記録制御手段は、前記選択手段により前記所定の条件を満たす画像データの記録先として選択された記録媒体が着脱自在な記録媒体である場合に該記録媒体が装着されているか否かを判別する判別手段を含み、この判別手段により記録媒体が撮像記録装置に装着されていないと判別された場合、前記所定の条件を満たす画像データを他の記録媒体に記録する。したがって、着脱自在な記録媒体が撮像記録装置に未装着の状態で合っても、支障なく撮影画像の記録を行うことができる。
【００１６】
また、請求項１１の発明に係る撮像記録装置にあっては、前記複数の記録媒体は、当該撮像記録装置に内蔵されている記録媒体を含む。したがって、ユーザは所定の条件を満たす撮影画像の記録先として撮像記録装置に内蔵されている記録媒体を選択することが可能になる。
【００１７】
また、請求項１２の発明に係る撮像記録装置にあっては、前記撮像手段から出力された画像データを外部装置に出力する出力手段を備え、前記複数の記録媒体は、前記外部装置に備えられている記録媒体を含む。したがって、ユーザは所定の条件を満たす撮影画像の記録先として外部装置に備えられている記録媒体を選択することが可能になる。
【００１８】
また、請求項１３の発明に係る撮像記録装置にあっては、前記複数の記録媒体は、異なるタイプの記録媒体を含む。したがって、ユーザは所定の条件を満たす撮影画像の記録先として所望のタイプの記録媒体を選択することが可能になる。
【００１９】
また、請求項１４に係る発明にあっては、画像データを記録する記録媒体と、この記録媒体に記録されている画像データを複数の記録媒体のうちのいずれかに記録する記録制御手段と、前記記録媒体に記録されている画像データのうち所定の条件を満たす画像データの記録先として、前記複数の記録媒体のうち任意の記録媒体を選択する選択手段とを備え、前記記録制御手段は、前記記録媒体に記録されている画像データのうち前記所定の条件を満たす画像データを、前記選択手段により前記所定の条件を満たす画像データの記録先として選択された記録媒体に記録する。
【００２０】
したがって、記録媒体に記録されている画像データのうち所定の条件を満たす画像データは、ユーザが予め選択した複数の記録媒体のいずれか任意の記録媒体に記録される。つまり、所定の条件を満たす画像データはユーザが予め選択した所定の条件に対する所望の記録媒体に自動的に記録されることとなる。
【００２１】
また、請求項１５の発明に係る画像処理装置にあっては、前記記録制御手段は、前記所定の条件を満たす画像データが記録されていた記録媒体と、前記選択手段により前記所定の条件を満たす画像データの記録先として選択された記録媒体とが同一の記録媒体であるか否かを判断する判断手段を含み、この判断手段により同一の記録媒体でないと判断された場合、前記所定の条件を満たす画像データを、前記選択手段により前記所定の条件を満たす画像データの記録先として選択された記録媒体に記録する。したがって、不必要な記録媒体に対する記録処理の実行を回避することができる。
【００２２】
また、請求項１６の発明に係る画像処理装置にあっては、複数の条件のうち任意の条件を選択する第２の選択手段を備え、前記選択手段は、前記第２の選択手段により選択された条件を満たす画像データの記録先として、前記複数の記録媒体のうち任意の記録媒体を選択し、前記記録制御手段は、前記記録媒体に記録されている画像データのうち前記第２の選択手段により選択された条件を満たす画像データを、前記選択手段により選択された記録媒体に記録する。したがって、ユーザが複数の条件の中から任意に選択した条件を満たす画像データを、ユーザが予め選択した複数の記録媒体のいずれか任意の記録媒体に自動的に記録することができる。
【００２３】
また、請求項１７の発明に係る画像処理装置にあっては、前記選択手段により所定の条件を満たす画像データの記録先として選択された記録媒体と前記所定の条件との対応関係を示す情報を記憶する記憶手段を備え、前記記録制御手段は、前記記録媒体に記録されている画像データのうち前記所定の条件を満たす画像データを、前記記憶手段に記憶されている前記対応関係を示す情報に基づき特定される記録媒体に記録する。したがって、メモリに記憶されているユーザが予め選択した任意の記録媒体と所定の条件との対応関係を示す情報に基づき、画像データのうち所定の条件を満たす画像データをユーザが予め選択した任意の記録媒体に確実に記録することができる。
【００２４】
また、請求項１８の発明に係る画像処理装置にあっては、複数の条件のうち任意の条件を選択する第２の選択手段を備え、前記選択手段は、前記第２の選択手段により選択された条件を満たす画像データの記録先として、前記複数の記録媒体のうち任意の記録媒体を選択し、前記記憶手段は、前記選択手段により選択された記録媒体と、前記第２の選択手段により選択された条件との対応関係を示す情報を記憶し、前記記録制御手段は、前記記憶手段に記憶されている前記対応関係を示す情報に基づき特定される条件を満たす画像データを、前記記憶手段に記憶されている前記対応関係を示す情報に基づき特定される記録媒体に記録する。したがって、メモリに記憶されている、ユーザが予め選択した任意の記録媒体と同じくユーザが予め選択した任意の条件との対応関係を示す情報に基づき、画像データのうちユーザが予め選択した任意の条件を満たす画像データをユーザが予め選択した任意の記録媒体に確実に記録することができる。
【００２５】
また、請求項１９の発明に係る画像処理装置にあっては、前記画像データは撮影モード情報を含み、前記選択手段は、所定の撮影モード情報を含む画像データの記録先として、前記複数の記録媒体のうち任意の記録媒体を選択し、前記記録制御手段は、前記記録媒体に記録されている画像データのうち前記所定の撮影モード情報を含む画像データを、前記選択手段により前記所定の撮影モード情報を含む画像データの記録先として選択された記録媒体に記録する。したがって、所定の撮影モード情報を含む画像データは、ユーザが予め選択した複数の記録媒体のいずれか任意の記録媒体に自動的に記録される。つまり、各種撮影モードで撮影した撮影画像はユーザが予め選択した当該撮影モードに対する所望の記録媒体に自動的に記録されることとなる。
【００２６】
また、請求項２０の発明に係る画像処理装置にあっては、前記選択手段は、所定の画像内容を有する画像データの記録先として、前記複数の記録媒体のうち任意の記録媒体を選択し、前記記録制御手段は、前記記録媒体に記録されている画像データのうち前記所定の画像内容を有する画像データを、前記選択手段により所定の画像内容を有する画像データの記録先として選択された記録媒体に記録する。したがって、所定の画像内容を有する画像データは、ユーザが予め選択した複数の記録媒体のいずれか任意の記録媒体に記録される。つまり、所定の画像内容を有する画像データはユーザが予め選択した所定の画像内容に対する所望の記録媒体に自動的に記録されることとなる。
【００２７】
また、請求項２１の発明に係る画像処理装置にあっては、前記画像データは撮影情報を含み、前記選択手段は、所定の撮影情報を含む画像データの記録先として、前記複数の記録媒体のうち任意の記録媒体を選択し、前記記録制御手段は、前記記録媒体に記録されている画像データのうち前記所定の撮影情報を含む画像データを、前記選択手段により前記所定の撮影情報を含む画像データの記録先として選択された記録媒体に記録する。したがって、所定の撮影情報を含む画像データは、ユーザが予め選択した複数の記録媒体のいずれか任意の記録媒体に自動的に記録される。つまり、所定の撮影情報を含む画像データはユーザが予め選択した所定の撮影条件に対する所望の記録媒体に自動的に記録されることとなる。
【００２８】
また、請求項２２の発明に係る画像処理装置にあっては、前記複数の記録媒体は、当該画像処理装置に対して着脱自在な記録媒体を含む。したがって、ユーザは所定の条件を満たす画像データの記録先として画像処理装置に対して着脱自在な記録媒体を選択することが可能になる。
【００２９】
また、請求項２３の発明に係る画像処理装置にあっては、前記複数の記録媒体は、当該画像記録装置に内蔵されている記録媒体を含む。したがって、ユーザは所定の条件を満たす画像データの記録先として画像処理装置に内蔵されている記録媒体を選択することが可能になる。
【００３０】
また、請求項２４の発明に係る画像処理装置にあっては、前記記録媒体に記録されている画像データを外部装置に出力する出力手段を備え、前記複数の記録媒体は、前記外部装置に備えられている記録媒体を含む。したがって、ユーザは所定の条件を満たす画像データの記録先として外部装置に備えられている記録媒体を選択することが可能になる。
【００３１】
また、請求項２５の発明に係る画像処理装置にあっては、前記複数の記録媒体は、異なるタイプの記録媒体を含む。したがって、ユーザは所定の条件を満たす画像データの記録先として所望のタイプの記録媒体を選択することが可能になる。
【００３２】
また、請求項２６の発明に係る撮像記録制御プログラムにあっては、撮像手段を備える撮像記録装置が有するコンピュータを、前記撮像手段から出力される画像データのうち所定の条件を満たす画像データの記録先として、複数の記録媒体のうち任意の記録媒体を選択する選択手段と、前記撮像手段から出力される画像データのうち前記所定の条件を満たす画像データを、前記選択手段により前記所定の条件を満たす画像データの記録先として選択された記録媒体に記録する記録制御手段として機能させる。したがって、前記コンピュータがこのプログラムに従って処理を実行することにより、請求項１記載の発明と同様の作用効果を奏する。
【００３３】
また、請求項２７の発明に係る画像処理プログラムにあっては、記録媒体を備える画像処理装置が有するコンピュータを、前記記録媒体に記録されている画像データのうち所定の条件を満たす画像データの記録先として、複数の記録媒体のうち任意の記録媒体を選択する選択手段と、前記記録媒体に記録されている画像データのうち前記所定の条件を満たす画像データを、前記選択手段により前記所定の条件を満たす画像データの記録先として選択された記録媒体に記録する記録制御手段として機能させる。したがって、前記コンピュータがこのプログラムに従って処理を実行することにより、請求項１４記載の発明と同様の作用効果を奏する。
【００３４】
また、請求項２８に係る発明にあっては、撮像手段から出力される画像データのうち所定の条件を満たす画像データの記録先として、複数の記録媒体のうち任意の記録媒体を選択する工程と、前記撮像手段から出力される画像データのうち前記所定の条件を満たす画像データを、前記所定の条件を満たす画像データの記録先として選択された記録媒体に記録する工程とを含む。したがって、記載した工程に従って処理を実行することにより、請求項１記載の発明と同様の作用効果を奏する。
【００３５】
また、請求項２９に係る発明にあっては、記録媒体に記録されている画像データのうち所定の条件を満たす画像データの記録先として、複数の記録媒体のうち任意の記録媒体を選択する工程と、前記記録媒体に記録されている画像データのうち前記所定の条件を満たす画像データを、前記所定の条件を満たす画像データの記録先として選択された記録媒体に記録する工程とを含む。したがって、記載した工程に従って処理を実行することにより、請求項１４記載の発明と同様の作用効果を奏する。
【発明の効果】
【００３６】
以上説明したように本発明によれば、所定の条件を満たす撮影画像を、ユーザが予め選択した所定の条件に対する所望の記録媒体に自動的に記録させることができ、撮影後におけるユーザによる煩雑な撮影画像の分類編集を確実に回避することができる。
【発明を実施するための最良の形態】
【００３７】
以下、本発明の一実施の形態を図にしたがって説明する。
（第１の実施の形態）
図１は、本発明の撮像装置である電子スチルカメラ（デジタルカメラ）１の概略構成を示すブロック図である。この電子スチルカメラ１は切り換え可能な静止画撮影モードと、動画撮影モード、及びパノラマ撮影モード等を備えたものであって、ＣＣＤ２とＤＳＰ／ＣＰＵ３とを有している。ＤＳＰ／ＣＰＵ３は、画像データの圧縮・伸張の処理を含む各種のデジタル信号処理機能を有するとともに電子スチルカメラ１の各部を制御するワンチップマイコンである。
【００３８】
ＤＳＰ／ＣＰＵ３には、ＣＣＤ２を駆動するＴＧ（Ｔｉｍｉｎｇ Ｇｅｎｅｒａｔｏｒ）４が接続されており、ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。
【００３９】
ＤＳＰ／ＣＰＵ３には、表示装置６、キー入力部７、時計部８、無線送受信部１６が接続されるとともに、アドレス・データバス１０を介してバッファメモリ（ＤＲＡＭ）１１、プログラムＲＯＭ１２、記録媒体としての内蔵メモリ１３と着脱自在なＣＦカード１４及びＳＤカード１５が接続されている。
【００４０】
バッファメモリ１１は、ＣＣＤ２により撮像された後デジタル化された被写体の画像データ等を一時保存するバッファであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画ファイルや動画ファイルとして内蔵メモリ１３、ＣＦカード１４あるいはＳＤカード１５に記録される。プログラムＲＯＭ１２には、ＤＳＰ／ＣＰＵ３の動作プログラムや各部の制御に使用する各種データが記憶されており、ＤＳＰ／ＣＰＵ３は、前記動作プログラムに従い動作することにより、記録制御手段、判断手段、記憶制御手段等として機能する。
【００４１】
表示装置６は、カラーＬＣＤとその駆動回路とを含み、撮影待機状態にあるときにはＣＣＤ２によって撮像された被写体画像をスルー画像として表示し、記録画像の再生時には内蔵メモリ１３、ＣＦカード１４、ＳＤカード１５のいずれかから読み出され伸張された記録画像を表示する。キー入力部７は、シャッターボタン、電源キー、ＭＥＮＵキー、十字キー等の複数の操作キーを含み、使用者によるキー操作に応じたキー入力信号をＤＳＰ／ＣＰＵ３に出力する。時計部８は日付及び時刻をカウントするカレンダー機能と時計機能とを有しており、撮影動作時等に必要に応じて日付データ及び時刻データをＤＳＰ／ＣＰＵ３へ送る。無線送信部１６は、内蔵メモリ１３、ＣＦカード１４、ＳＤカード１５のいずれかに記録されている記録画像又は撮影処理によりバッファメモリ１１に一時記憶されている画像を、アンテナ１７及びインターネット等の通信ネットワークを介して、記録媒体を有する外部装置（携帯電話、ＰＤＡ、ネットワークサーバー、ホームサーバー（自宅のパソコン）、他の無線受信機能を有するデジタルカメラ等）に送信する。なお、無線送信部１６は、記録媒体を有する外部装置とダイレクトに通信を行う赤外線通信、光通信、ＢｌｕｅＴｏｏｔｈ等の短距離通信等でも構わない。また、無線送信部１６に代えてＵＳＢケーブル等の通信ケーブルを装着可能な通信端子としても構わない。
【００４２】
前記内蔵メモリ１３の一部には、図２（ａ）に示す設定メモリ１３１が設けられている。この設定メモリ１３１には、撮影モード記憶エリア１３２と記録メディア記憶エリア１３３とが対応して設けられており、この両エリア１３２、１３３に撮影モードと当該撮影モードで撮影した際に画像データを記録すべき記録メディアとが対応して記憶される。なお、設定メモリ１３１は内蔵メモリ１３の一部に設けることなく、別途設けるようにしてもよい。
【００４３】
なお、図２（ａ）に示す設定メモリ１３１に代えて又は加えて図２（ｂ）に示す設定メモリ１３１を設けるようにしてもよい。この設定メモリ１３１には、画像内容記憶エリア１３４と記録先記憶エリア１３５とが対応して設けられており、この両エリア１３４、１３５に画像内容と当該画像内容の画像データを記録すべき記録先とが対応して記憶される。
【００４４】
また、図２（ａ）に示す設定メモリ１３１に代えて又は加えて図２（ｃ）に示す設定メモリ１３１を設けるようにしてもよい。この設定メモリ１３１には、撮影条件記憶エリア１３６と記録先記憶エリア１３７とが対応して設けられており、この両エリア１３６、１３７に撮影条件と当該撮影条件の画像データを記録すべき記録先とが対応して記憶される。
【００４５】
次に、以上の構成に係る本実施の形態の動作を図３に示すフローチャートに従って説明する。すなわち、電源が投入された後キー入力部７での操作により記録先設定モードが設定されると、ＤＳＰ／ＣＰＵ３は前記プログラムに基づき、図３に示すフローチャートに従って処理を開始し、先ず撮影モード一覧表示処理を実行する（ステップＳ１０１）。このステップＳ１０１での処理により、表示装置６には図４（ａ）に例示するように、撮影モードの名称「１．静止画」「２．動画」「３．パノラマ」とともにいずれかの撮影モードの名称上にカーソルＣが表示される。
【００４６】
次に、キー入力部７での操作に基づき、いずれかの撮影モードが選択されたか否かを判断し（ステップＳ１０２）、いずれかの撮影モードが選択されるまで、撮影モード一覧表示処理を継続する。このとき、キー入力部７での操作に応じてカーソルＣを移動させる処理等を実行し、いずれかの撮影モードの名称にカーソルＣを合致させてキー入力部７で所定の選択操作を行うと、当該名称の撮影モードが選択される（ステップＳ１０２；ＹＥＳ）。
【００４７】
引き続き、この選択された撮影モードと共に、記録メディアを一覧表示する（ステップＳ１０３）。このステップＳ１０３での処理により、表示装置６には図４（ｂ）に例示するように、選択された撮影モードである「パノラマ」と共に、記録メディアの名称「１．ＣＦカード」「２．ＳＤカード」「３．内蔵メモリ」及びカーソルＣが表示される。このとき、前述と同様に、キー入力部７での操作に応じてカーソルＣを移動させる処理等を実行し、いずれかの記録メディアの名称にカーソルＣを合致させてキー入力部７で所定の操作を行うと、当該名称の記録メディアが選択される（ステップＳ１０４；ＹＥＳ）。
【００４８】
さらに、キー入力部７で設定続行操作が行われたか否かを判断する（ステップＳ１０５）。そして、設定続行操作が行われた場合には、ステップＳ１０１からの処理を繰り返し、設定続行操作が行われなかった場合には、このフローに従った処理を終了する。このフローに従った記録先設定モード処理が終了することにより、図２（ａ）に例示したように設定メモリ１３１の両エリア１３２、１３３には、選択された撮影モードと記録メディアとが対応して記憶される。
【００４９】
なお、設定続行操作が行われて、ステップＳ１０１からの処理が再度実行された際、異なる撮影モードに対して前回と同じ記録メディアを選択することも可能である。よって、この場合には設定メモリ１３１には、異なる撮影モードに対して同じ記録メディアが記憶されることとなる。つまり、異なる撮影モードに対して同じ記録メディアを選択設定することも可能である。
【００５０】
なお、図２（ｂ）、図２（ｃ）に例示したような設定メモリ１３１に、画像内容又は撮影条件と記録先とを対応付けて記憶する場合にも同様に図３、図４（ａ）、図４（ｂ）に示した方法を用いることができる。
【００５１】
また、キー入力部７での操作により記録モードが設定されると、ＤＳＰ／ＣＰＵ３は前記プログラムに基づき、図５に示すフローチャートに従って処理を開始し、先ず撮影モード一覧表示処理を実行する（ステップＳ２０１）。なお、説明を簡単にするために、このフローにおいては図２（ａ）に例示した設定メモリ１３１のみを備え、且つ動画と静止画の２つの撮影モードのみを備え、更に記録メディア（記録先）として外部装置が設定されていないものとし、したがって、このステップＳ２０１での処理では、撮影モードの名称「動画」と「静止画」とを表示装置６に表示させる。
【００５２】
次に、この表示させた撮影モードのいずれかが選択されるまで待機し（ステップＳ２０２）、選択されたならば（ステップＳ２０２；ＹＥＳ）、この選択された撮影モードを設定し（ステップＳ２０３）、当該撮影モードをバッファメモリ１１に記憶しておく。さらに、表示装置６にスルー画像を表示して（ステップＳ２０４）、キー入力部７に設けられているシャッターボタンが押下されたか否かを判断する（ステップＳ２０５）。シャッターボタンが押下されない場合には、キー入力部７での操作により撮影モードの変更指示があったか否かを判断し（ステップＳ２０６）、変更指示があった場合にはステップＳ２０１からの処理を再度実行する。また、変更指示がない場合には、ステップＳ２０４〜Ｓ２０６のループを繰り返し実行して、表示装置６にスルー画像を表示しつつシャッターボタンが押下されるまで待機する。
【００５３】
そして、シャッターボタンが押下されたならば（ステップＳ２０５；ＹＥＳ）、現在選択されている撮影モードが動画モードであるか否かを判断する（ステップＳ２０７）。動画モードではなく、静止画モードが設定されている場合には、静止画撮影処理を実行して（ステップＳ２０８）、得られた静止画データをバッファメモリ１１に一時記憶させる。
【００５４】
次に、設定メモリ１３１の記憶内容を参照して、静止画の記録先となる記録メディアがユーザにより設定されているか否かを判断する（ステップＳ２０９）。設定されていない場合には、前述のステップＳ２０８の処理でバッファメモリ１１に一時記憶されている静止画データを、本実施の形態においてデフォルトの記録メディアである内蔵メモリ１３に転送記録する（ステップＳ２１０）。また、ステップＳ２０９での判断の結果、記録先が設定されている場合には、設定メモリ１３１に静止画と対応付けて記憶されている記録メディアの種類が、カメラ本体に対して着脱可能な記録メディア（メモリカード）であるか否かが判断される（ステップＳ２１１）。ここで、着脱可能な記録メディアであると判断されると、続いて該記録メディアが電子スチルカメラ１に設けられているカードスロットに挿入されているか否かが判断される（ステップＳ２１２）。ここで、静止画データの記録先として設定されている記録メディアが電子スチルカメラ１に装着されていると判断されると、バッファメモリ１１に一時記憶されている静止画データを、設定メモリ１３１に静止画と対応付けて記憶されている記録メディア、すなわち静止画データの記録先として設定されている記録メディアに転送記録する（ステップＳ２１３）。したがって、図２（ａ）に示した例の場合、静止画と対応付けて記憶されている記録メディアはＣＦカード１４であることから、静止画モードで撮影した全ての静止画データはユーザが予め指定したＣＦカード１４に、自動的に記録されることとなる。
【００５５】
また、ステップＳ２１１で着脱メモリではないと判断された場合には、静止画データの記録先として設定されている記録メディアは内蔵メモリ１３ということになるので、直ちにステップＳ２１３に進み、バッファメモリ１１に一時記憶されている静止画データを、静止画データの記録先として設定されている内蔵メモリ１３に転送記録する。
【００５６】
また、ステップＳ２１１で着脱メモリであると判断され、且つステップＳ２１２で着脱メモリがカメラ本体に装着されていないと判断された場合には、静止画データの記録先として設定されている記録メディアに静止画データを記録することができないということなので、ステップＳ２１０に進み、バッファメモリ１１に一時記憶されている静止画データを、本実施の形態においてデフォルトの記録メディアである内蔵メモリ１３に転送記録する。
【００５７】
他方、ステップＳ２０７での判断の結果、動画モードが設定されている場合には、動画撮影を開始し（ステップＳ２１４）、バッファメモリ１１への動画データの一時記憶を開始する。次に、再度シャッターボタンが押下されたか否か（ステップＳ２１５）、及び押下されない場合には動画撮影開始から３０秒が経過したか否かを判断する（ステップＳ２１６）。そして、３０秒が経過する前に再度シャッターボタンが押下された場合（ステップＳ２１５；ＹＥＳ）、又はシャッターボタンが押下されることなく３０秒が経過した場合（ステップＳ２１６；ＹＥＳ）には、動画撮影を停止して（ステップＳ２１７）、バッファメモリ１１への動画データの一時記憶を終了する。
【００５８】
次に、設定メモリ１３１の記憶内容を参照して、動画の記録先となる記録メディアがユーザにより設定されているか否かを判断する（ステップＳ２１８）。設定されていない場合には、前述のステップＳ２１４〜Ｓ２１７の処理でバッファメモリ１１に一時記憶されている動画データを、本実施の形態においてデフォルトの記録メディアである内蔵メモリ１３に転送記録する（ステップＳ２１９）。また、ステップＳ２１８での判断の結果、記録先が設定されている場合には、設定メモリ１３１に動画と対応付けて記憶されている記録メディアの種類が、カメラ本体に対して着脱可能な記録メディア（メモリカード）であるか否かが判断される（ステップＳ２２０）。ここで、着脱可能な記録メディアであると判断されると、続いて該記録メディアが電子スチルカメラ１に設けられているカードスロットに挿入されているか否かが判断される（ステップＳ２２１）。ここで、静止画データの記録先として設定されている記録メディアが電子スチルカメラ１に装着されていると判断されると、バッファメモリ１１に一時記憶されている動画データを、設定メモリ１３１に動画と対応付けて記憶されている記録メディア、すなわち動画データの記録先として設定されている記録メディアに転送記録する（ステップＳ２２２）。したがって、図２（ａ）に示した例の場合、動画と対応付けて記憶されている記録メディアはＳＤカード１５であることから、動画モードで撮影した全ての動画データはユーザが予め指定したＳＤカード１５に、自動的に記録されることとなる。
【００５９】
また、ステップＳ２２０で着脱メモリではないと判断された場合には、動画データの記録先として設定されている記録メディアは内蔵メモリ１３ということになるので、直ちにステップＳ２２２に進み、バッファメモリ１１に一時記憶されている動画データを、動画データの記録先として設定されている内蔵メモリ１３に転送記録する。
【００６０】
また、ステップＳ２２０で着脱メモリであると判断され、且つステップＳ２２１で着脱メモリがカメラ本体に装着されていないと判断された場合には、動画データの記録先として設定されている記録メディアに動画データを記録することができないということなので、ステップＳ２１９に進み、バッファメモリ１１に一時記憶されている動画データを、本実施の形態においてデフォルトの記録メディアである内蔵メモリ１３に転送記録する。
このように、動画又は静止画の記録先として設定されている記録メディアが着脱メモリでカメラ本体に装着されていない場合には内蔵メモリに記録するようにしたので、画像データが記録メディアに記録されないといった事態を回避することができ、また、撮影後に着脱メモリを装置本体に装着し後述する第２の実施の形態を実施すれば画像データを撮影モードに応じた記録メディアに記録することができるので不具合も生じない。
なお、図２（ｂ）に例示したように画像内容と記録先とが対応付けて設定メモリ１３１に設定されている場合は、撮影処理後、バッファメモリ１１に一時記憶されている画像データに対して画像認識処理を施し、この画像認識処理により特定された画像内容（被写体の種別）と対応付けて設定メモリ１３１に記憶されている記録先の記録媒体に、バッファメモリ１１に一時記憶されている画像データが自動的に記録されることになる。ここで、記録先が外部装置である場合は、バッファメモリ１１に一時記憶されている画像データが記録先のアドレスデータとともに無線送信部１６、アンテナ１７を介して送信され、外部装置の記録媒体に記録されることになる。また、画像内容は図２（ｂ）に例示したような画像内容に限定されず、特定の人物、集合写真、夜景写真、海、山、花等でもよい。
また、図２（ｃ）に例示したように撮影条件と記録先とが対応付けて設定メモリ１３１に設定されている場合は、撮影処理後、撮影時の撮影情報（撮影条件）を取得し、この撮影情報と合致する撮影条件と対応付けて設定メモリ１３１に記憶されている記録先の記録媒体に、バッファメモリ１１に一時記憶されている画像データが自動的に記録されることになる。ここで、撮影条件は図２（ｃ）に例示したような撮影条件に限定されず、シャッタースピード、ストロボ発光の有無、絞り値、ホワイトバランス値、色温度、ズーム値、圧縮率、画像サイズ、撮影日時等でもよい。
【００６１】
（第２の実施の形態）
図６〜図８は、本発明の第２の実施の形態を示すものであり、撮影後に画像データを撮影モード毎に所望の記録メディアに自動的に記録させるようにしたものである。この実施の形態において、設定メモリ１３１の構成は図２（ａ）〜図２（ｃ）に示した第１の実施の形態と同様である。また、電源が投入された後キー入力部７での操作により記録先設定モードが設定されると、ＤＳＰ／ＣＰＵ３は前述の図３に示したフローチャートに従って処理を実行する。したがって、このフローに従った記録先設定モード処理が終了することにより、図２（ａ）〜図２（ｃ）に例示したように設定メモリ１３１の両エリアには、選択された撮影モード又は画像内容又は撮影条件と、記録メディア（記録先）とが対応して記録されることとなる。
【００６２】
しかる後に、キー入力部７での操作により記録モードが設定されると、本実施の形態においてＤＳＰ／ＣＰＵ３はプログラムに基づき、図６に示すフローチャートに従って処理を開始する。すなわち、先ず撮影モード一覧表示処理を実行する（ステップＳ３０１）。なお、前述と同様に説明を簡単にするため、このフローにおいては動画と静止画の２つの撮影モードのみを備えているものとし、したがって、このステップＳ３０１での処理では、撮影モードの名称「動画」と「静止画」のみを表示装置６に表示させる。
【００６３】
次に、この表示させた撮影モードのいずれかが選択されるまで待機し（ステップＳ３０２）、選択されたならば（ステップＳ３０２；ＹＥＳ）、この選択された撮影モードを設定し（ステップＳ３０３）、当該撮影モードをバッファメモリ１１に記憶しておく。さらに、表示装置６にスルー画像を表示して（ステップＳ３０４）、キー入力部７に設けられているシャッターボタンが押下されたか否かを判断する（ステップＳ３０５）。シャッターボタンが押下されない場合には、キー入力部７での操作により撮影モードの変更指示があったか否かを判断し（ステップＳ３０６）、変更指示があった場合にはステップＳ３０１からの処理を再度実行する。また、変更指示がない場合には、ステップＳ３０４〜Ｓ３０６のループを繰り返し実行して、表示装置６にスルー画像を表示しつつシャッターボタンが押下されるまで待機する。
【００６４】
そして、シャッターボタンが押下されたならば（ステップＳ３０５；ＹＥＳ）、現在選択されている撮影モードが動画モードであるか否かを判断する（ステップＳ３０７）。動画モードではなく、静止画モードが設定されている場合には、静止画撮影処理を実行して（ステップＳ３０８）、シャッターボタンが押下された時点におけるスルー画像の静止画データをバッファメモリ１１に一時記憶させる。さらに、このバッファメモリ１１に一時記憶させた静止画データを、内蔵メモリ１３に転送記録する（ステップＳ３０９）。
【００６５】
この内蔵メモリ１３への静止画データの記録に際しては、図７に示すように、画像データ毎に、ファイル名２１、ファイル種別（拡張子）２２、撮影モード２３、画像番号２４、画像データ２５で構成される画像ファイル２０を作成し、この画像ファイル２０を内蔵メモリ１３に記録させる。ここでファイル名２１は、画像ファイル２０毎に異なるファイル名であり、ファイル種別（拡張子）２２は当該画像ファイル２０が静止画ファイルであるか動画ファイルであるかを示す識別子（拡張子）である。撮影モード２３は、画像データ２５を取得した際の撮影モードが静止画撮影モード又は動画撮影モードのいずれであるか示すデータである。画像番号２４は静止画、動画とは無関係に画像ファイル２０毎に異なる連続した番号であり、最初の画像ファイル２０の画像番号２４は「１」である。また、画像データ２５は前記静止画データ又は後述する動画データである。したがって、前述したステップＳ３０９の処理においては、ファイル種別（拡張子）２２として静止画ファイルであることを示す識別子が記録され、撮影モード２３として静止画撮影モードが記録され、画像データ２５として前記静止画データが記録された画像ファイル２０が内蔵メモリ１３に記録されることとなる。なお、図２（ｃ）に例示したように撮影条件と記録先とが対応付けて設定メモリ１３１に設定されている場合は、画像ファイル２０中に撮影時の撮影情報（撮影条件）を含める必要がある。
【００６６】
他方、ステップＳ３０７での判断の結果、動画モードが設定されている場合には、動画撮影を開始し（ステップＳ３１０）、バッファメモリ１１への動画データの一時記憶を開始する。次に、再度シャッターボタンが押下されたか否か（ステップＳ３１１）、及び押下されない場合には動画撮影開始から３０秒が経過したか否かを判断する（ステップＳ３１２）。そして、３０秒が経過する前に再度シャッターボタンが押下された場合（ステップＳ３１１；ＹＥＳ）、又はシャッターボタンが押下されることなく３０秒が経過した場合（ステップＳ３１２；ＹＥＳ）には、動画撮影を停止して（ステップＳ３１３）、バッファメモリ１１への動画データの一時記憶を終了する。さらに、このバッファメモリ１１に一時記憶させた動画データを、内蔵メモリ１３に転送記録する（ステップＳ３１４）。
【００６７】
このとき、前述したステップＳ３０９の処理と同様に、図７に示した画像ファイル２０を作成して内蔵メモリ１３に記憶させる。したがって、ステップＳ３１４の処理においては、ファイル種別（拡張子）２２として動画ファイルであることを示す識別子が記録され、撮影モード２３として動画撮影モードが記録され、画像データ２５として前記動画データが記録された画像ファイル２０が内蔵メモリ１３に記録されることとなる。
【００６８】
そして、撮影後においてキー入力部７での操作により画像整理モードが設定されると、ＤＳＰ／ＣＰＵ３はプログラムに基づき、図８に示すフローチャートに従って処理を開始する。なお、前述と同様に説明を簡単にするため、このフローにおいては図２（ａ）に例示した設定メモリ１３１のみを備え、且つ記録メディア（記録先）として外部装置が設定されていないものとする。先ず、カウンタｎに初期値「１」を設定し（ステップＳ４０１）、内蔵メモリ１３に記録されているｎ番目の画像ファイル２０をバッファメモリ１１に読み出す（ステップＳ４０２）。引き続き、この読み出した画像ファイル２０に記録されている撮影モード２３を判別し（ステップＳ４０３）、それが動画撮影モードであるか否かを判断する（ステップＳ４０４）。なお、画像ファイル２０に記録されているファイル種別（拡張子）２２により動画ファイル（動画撮影モード）、静止画ファイル（静止画撮影モード）の何れであるかを判断するようにしてもよい。動画撮影モードではなく静止画撮影モードであった場合には（ステップＳ４０４；ＮＯ）、設定メモリ１３１に静止画と対応付けて記録されている記録メディアは内蔵メモリ１３であるか否かを判断する（ステップＳ４０５）。内蔵メモリ１３であった場合には、当該画像ファイル２０は当該内蔵メモリ１３に既に記録されていることから、画像ファイル２０の他の記録メディアへの転送記録を行うことなく、ステップＳ４０９に進む。
【００６９】
また、ステップＳ４０５での判断の結果、対応付けて記憶されている記録メディアが内蔵メモリ１３でない場合には、内蔵メモリ１３に記録されている当該ｎ番目の画像ファイル２０を、設定メモリ１３１に静止画と対応付けて記憶されている記録メディアに移動する（ステップＳ４０６）。したがって、図２（ａ）に示した例の場合、静止画と対応付けて記憶されている記録メディアはＣＦカード１４であることから、静止画モードで撮影された画像データ２５を含む前記ｎ番目の画像ファイル２０はＣＦカード１４に移動して記録されることとなる。
【００７０】
他方、ステップＳ４０４での判断の結果、動画撮影モードであった場合には（ステップＳ４０４；ＹＥＳ）、設定メモリ１３１に動画と対応付けて記録されている記録メディアは内蔵メモリ１３であるか否かを判断する（ステップＳ４０７）。内蔵メモリ１３であった場合には、前述したように当該画像ファイル２０は当該内蔵メモリ１３に既に記録されていることから、画像ファイル２０の他の記録メディアへの転送記録を行うことなく、ステップＳ４０９に進む。
【００７１】
また、ステップＳ４０７での判断の結果、対応付けて記憶されている記録メディアが内蔵メモリ１３でない場合には、内蔵メモリ１３に記録されている当該ｎ番目の画像ファイル２０を、設定メモリ１３１に動画と対応付けて記憶されている記録メディアに移動する（ステップＳ４０８）。したがって、図２（ａ）に示した例の場合、動画と対応付けて記憶されている記録メディアはＳＤカード１５であることから、動画モードで撮影された画像データ２５を含む前記ｎ番目の画像ファイル２０はＳＤカード１５に移動して記録されることとなる。
【００７２】
そして、ステップＳ４０５、Ｓ４０６、Ｓ４０７、Ｓ４０８のいずれかに続くステップＳ４０９では、カウンタｎの値が所定の最大値ｍとなったか否かを判断し、ｎ≠ｍであるならば、カウンタｎの値をインクリメントして（ステップＳ４１０）、ステップＳ４０２からの処理を繰り返し、ｎ＝ｍとなったならば、このフローに従った処理を終了する。
【００７３】
したがって、図２（ａ）に示した例の場合、静止画と対応付けて記憶されている記録メディアはＣＦカード１４であることから、静止画モードで撮影された画像データ２５を有する全ての画像ファイル２０はユーザが予め指定したＣＦカード１４に、自動的に移動して記録されることとなる。また、動画と対応付けて記憶されている記録メディアはＳＤカード１５であることから、動画モードで撮影された画像データ２５を有する全ての画像ファイル２０はユーザが予め指定したＳＤカード１５に、自動的に移動して記録されることとなる。
なお、ステップＳ４０６、Ｓ４０８で画像データの移動先が外部装置である場合は、バッファメモリ１１に一時記憶されている画像データが移動先のアドレスデータとともに無線送信部１６、アンテナ１７を介して送信され、外部装置の記録媒体に移動されることになる。
また、図２（ｂ）に例示したように画像内容と記録先とが対応付けて設定メモリ１３１に設定されている場合は、図８のステップＳ４０３でバッファメモリ１１に一時記憶されている画像データに対して画像認識処理が施され、この画像認識処理により特定された画像内容（被写体の種別）と対応付けて設定メモリ１３１に記憶されている記録先の記録媒体に、バッファメモリ１１に一時記憶されている画像データが自動的に移動されることになる。
また、図２（ｃ）に例示したように撮影条件と記録先とが対応付けて設定メモリ１３１に設定されている場合は、図８のステップＳ４０３で画像ファイル２０中に含まれている撮影情報（撮影条件）を取得し、この撮影情報と合致する撮影条件と対応付けて設定メモリ１３１に記憶されている記録先の記録媒体に、バッファメモリ１１に一時記憶されている画像データが自動的に移動されることになる。
【００７４】
また、本実施の形態においては、ステップＳ４０６及びＳ４０８で画像ファイルの移動処理を実行するようにしたが、コピー処理を実行するようにして、画像ファイルを内蔵メモリ１３に残存させるようにしてもよい。
【００７５】
また、図６に示したフローにおいては、画像ファイル２０を全て内蔵メモリ１３に記録させるようにしたが、ユーザが任意に記録先のメディアを切り替えて撮影画像データを記録させることにより、複数の記録メディアに種々の撮影モードの画像ファイル２０を分散して記録させるようにしてもよい。このように画像ファイル２０を分散して記録させた場合には、図８のステップＳ４０２で、ｎ番目の画像ファイル２０が記録されている記録メディアから当該ｎ番目の画像ファイル２０をバッファメモリ１１に読み出す。さらに、ステップＳ４０５では、設定メモリ１３１に静止画と対応付けて記憶されている記録メディアと、当該画像ファイル２０が現在記録されている記録メディアとが一致するか否かを判断する。そして、不一致である場合にのみステップＳ４０６の処理を実行する。また、ステップＳ４０７では、設定メモリに動画と対応付けて記憶されている記録メディアと、当該画像ファイル２０が現在記録されている記録メディアとが一致するか否かを判断する。そして、不一致である場合にのみステップＳ４０８の処理を実行する。このように処理を実行すれば、撮影時において種々の撮影モードの画像ファイル２０を複数の記録メディアに分散して記録させた場合であっても、ユーザが予め指定した所望の記録メディア毎に各撮影モードの画像ファイルを整理して自動的に記録することができる。
【００７６】
なお、画像番号２４を記録メディア毎に独立して割り当てる構成にした場合は記録メディア毎に図８に示したフローを実行する必要がある。
なお、上記第１及び第２の実施の形態においては、撮影モードとして静止画モードと動画モードを例に上げて説明したが、絞り優先モード、シャッタ優先モード、スポーツモード、夜景モード、ポートレートモード、モノクロ（白黒）モード等の他の撮影モードに本発明を適用することもできる。
【００７７】
また、上記第１及び第２の実施の形態においては、カメラ本体に対して着脱可能な記録媒体と、カメラ本体に内蔵されている記録媒体と、記録媒体を備えた外部装置に対して画像データを外部出力可能な通信機能の全てを備えている電子スチルカメラに本発明を適用した場合について説明したが、カメラ本体に対して着脱可能な記録媒体のみを複数備えた電子スチルカメラ、あるいはカメラ本体に内蔵されている記録媒体のみを複数備えた電子スチルカメラ、あるいは記録媒体を備えた複数の外部装置に対して画像データを外部出力可能な通信機能を備えた電子スチルカメラに本発明を適用してもよい。
【００７８】
また、上記第１及び第２の実施の形態においては、本発明を電子スチルカメラに適用した場合について説明したが、本発明はこれに限ることなく、デジタルビデオ（ムービー）カメラや、カメラ機能を有した携帯情報端末（ＰＤＡ）、カメラ付き携帯電話機、カメラ付き（ノート）パソコン等の機器であっても容易に実現可能である。
【００７９】
また、上記第２の実施の形態においては、本発明を電子スチルカメラに適用した場合について説明したが、本発明はこれに限ることなく、カメラ機能を有していない、携帯情報端末（ＰＤＡ）や携帯電話機や（ノート）パソコン等の機器であっても容易に実現可能である。
【００８０】
その他、本発明は上記実施の形態に限らず、その要旨を逸脱しない範囲内で種々変形して実施することが可能であるものとする。
【００８１】
さらに、上記実施の形態には種々の段階の発明が含まれており、開示される複数の構成要件における適宜な組み合わせにより種々の発明が抽出され得る。
【図面の簡単な説明】
【００８２】
【図１】本発明の各実施の形態に共通する電子スチルカメラのブロック図である。
【図２】設定メモリのメモリ構成図である。
【図３】記録先設定モード処理の処理手順を示すフローチャートである。
【図４】記録先設定モード処理における表示遷移図である。
【図５】第１の実施の形態における記録モード時の処理手順を示すフローチャートである。
【図６】第２の実施の形態における記録モード時の処理手順を示すフローチャートである。
【図７】画像ファイルのファイル構成図である。
【図８】第２の実施の形態における画像整理モード時の処理手順を示すフローチャートである。
【符号の説明】
【００８３】
１  電子スチルカメラ
２  ＣＣＤ
３  ＤＳＰ／ＣＰＵ
４  ＴＧ
５  ユニット回路
６  表示装置
７  キー入力部
１１  バッファメモリ
１２  プログラムＲＯＭ
１３  内蔵メモリ
１４  ＣＦカード
１５  ＳＤカード
２０  画像ファイル
２１  ファイル名
２３  撮影モード
２４  画像番号
２５  画像データ
１３１  設定メモリ
【図１】
2006014350.tif 000003
【図２】
2006014350.tif 000004
【図３】
2006014350.tif 000005
【図４】
2006014350.tif 000006
【図５】
2006014350.tif 000007
【図６】
2006014350.tif 000008
【図７】
2006014350.tif 000009
【図８】
2006014350.tif 000010
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
画像データを記録する第１の記録媒体と、
この第１の記録媒体に記録されている画像データを第２の記録媒体に記録する記録制御手段と、
前記第１、第２の記録媒体を含む複数の記録媒体の中から任意の記録媒体を選択する選択手段と、
この選択手段により選択された記録媒体を示す記録先情報と、該記録先情報が示す記録媒体に記録すべき画像データの条件を示す記録条件情報とを対応付けて記憶する記憶手段と、
前記第１の記録媒体に記録されている前記画像データに関する画像情報を取得する画像情報取得手段と、
この画像情報取得手段により取得された画像情報と合致する記録条件情報と対応付けて前記記憶手段に記憶されている記録先情報が示す記録媒体が前記第１の記録媒体であるか否かを判別する判別手段とを備え、
前記記録制御手段は、
前記判別手段により第１の記録媒体でないと判別された場合、前記画像情報取得手段により取得された画像情報と合致する記録条件情報と対応付けて前記記憶手段に記憶されている記録先情報が示す記録媒体に前記第１の記録媒体に記録されている画像データを記録することを特徴とする画像処理装置。
【請求項２】
複数の記録条件のうち任意の記録条件を選択する第２の選択手段を備え、
前記記憶手段は、前記選択手段により選択された記録媒体を示す記録先情報と、前記第２の選択手段により選択された記録条件を示す記録条件情報とを対応付けて記憶することを特徴とする請求項１記載の画像処理装置。
【請求項３】
被写体を撮像し画像データを出力する撮像手段を備え、
前記記録制御手段は、
前記撮像手段から出力された画像データを前記第１の記録媒体に記録する手段を含むことを特徴とする請求項１又は２記載の画像処理装置。
【請求項４】
前記記録条件情報は、撮影モードを示す情報であり、
前記画像情報取得手段は、前記画像データに含まれている撮影モードを示す情報を取得することを特徴とする請求項１乃至３のいずれかに記載の画像処理装置。
【請求項５】
前記記録条件情報は、前記画像データの画像内容を示す情報であり、
前記画像情報取得手段は、前記画像データの画像内容を示す情報を取得することを特徴とする請求項１乃至３のいずれかに記載の画像処理装置。
【請求項６】
前記記録条件情報は、撮影情報であり、
前記画像情報取得手段は、前記画像データに含まれている撮影情報を取得することを特徴とする請求項１乃至３のいずれかに記載の画像処理装置。
【請求項７】
前記複数の記録媒体は、当該画像処理装置に対して着脱自在な記録媒体を含むことを特徴とする請求項１乃至６のいずれかに記載の画像処理装置。
【請求項８】
前記複数の記録媒体は、当該画像記録装置に内蔵されている記録媒体を含むことを特徴とする請求項１乃至７のいずれかに記載の画像処理装置。
【請求項９】
前記記録媒体に記録されている画像データを外部装置に出力する出力手段を備え、
前記複数の記録媒体は、前記外部装置に備えられている記録媒体を含むことを特徴とする請求項１乃至８のいずれかに記載の画像処理装置。
【請求項１０】
前記複数の記録媒体は、異なるタイプの記録媒体を含むことを特徴とする請求項１乃至９のいずれかに記載の画像処理装置。
【請求項１１】
画像データを記録する第１の記録媒体を備える画像処理装置が有するコンピュータを、
前記第１の記録媒体に記録されている画像データを第２の記録媒体に記録する記録制御手段と、
前記第１、第２の記録媒体を含む複数の記録媒体の中から任意の記録媒体を選択する選択手段と、
この選択手段により選択された記録媒体を示す記録先情報と、該記録先情報が示す記録媒体に記録すべき画像データの条件を示す記録条件情報とを対応付けて記憶する記憶手段と、
前記第１の記録媒体に記録されている前記画像データに関する画像情報を取得する画像情報取得手段と、
この画像情報取得手段により取得された画像情報と合致する記録条件情報と対応付けて前記記憶手段に記憶されている記録先情報が示す記録媒体が前記第１の記録媒体であるか否かを判別する判別手段として機能させ、
前記記録制御手段は、
前記判別手段により第１の記録媒体でないと判別された場合、前記画像情報取得手段により取得された画像情報と合致する記録条件情報と対応付けて前記記憶手段に記憶されている記録先情報が示す記録媒体に前記第１の記録媒体に記録されている画像データを記録することを特徴とする画像処理プログラム。
【請求項１２】
複数の記録媒体の中から任意の記録媒体を選択する工程と、
前記選択された記録媒体を示す記録先情報と、該記録先情報が示す記録媒体に記録すべき画像データの条件を示す記録条件情報とを対応付けてメモリに記憶する工程と、
前記複数の記録媒体のうちの１つである第１の記録媒体に記録されている画像データに関する画像情報を取得する工程と、
前記取得された画像情報と合致する記録条件情報と対応付けて前記メモリに記憶されている記録先情報が示す記録媒体が前記第１の記録媒体であるか否かを判別する工程と、
第１の記録媒体でないと判別された場合、前記取得された画像情報と合致する記録条件情報と対応付けて前記メモリに記憶されている記録先情報が示す第２の記録媒体に前記第１の記録媒体に記録されている画像データを記録する工程と、
を含むことを特徴とする画像処理方法。
【手続補正３】
【補正対象書類名】明細書
【補正対象項目名】０００１
【補正方法】変更
【補正の内容】
【０００１】
本発明は、画像処理装置、画像処理プログラム及び画像処理方法に関する。
【手続補正４】
【補正対象書類名】明細書
【補正対象項目名】０００４
【補正方法】変更
【補正の内容】
【０００４】
本発明は、係る課題に鑑みてなされたものであり、複数の記録媒体のうちの所望の記録媒体に所望の画像を自動的に記録させることのできる、画像処理装置、画像処理プログラム及び画像処理方法を提供することを目的とするものである。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】変更
【補正の内容】
【００１９】
前記課題を解決するために請求項１に係る発明にあっては、画像データを記録する第１の記録媒体と、この第１の記録媒体に記録されている画像データを第２の記録媒体に記録する記録制御手段と、前記第１、第２の記録媒体を含む複数の記録媒体の中から任意の記録媒体を選択する選択手段と、この選択手段により選択された記録媒体を示す記録先情報と、該記録先情報が示す記録媒体に記録すべき画像データの条件を示す記録条件情報とを対応付けて記憶する記憶手段と、前記第１の記録媒体に記録されている前記画像データに関する画像情報を取得する画像情報取得手段と、この画像情報取得手段により取得された画像情報と合致する記録条件情報と対応付けて前記記憶手段に記憶されている記録先情報が示す記録媒体が前記第１の記録媒体であるか否かを判別する判別手段とを備え、前記記録制御手段は、前記判別手段により第１の記録媒体でないと判別された場合、前記画像情報取得手段により取得された画像情報と合致する記録条件情報と対応付けて前記記憶手段に記憶されている記録先情報が示す記録媒体に前記第１の記録媒体に記録されている画像データを記録する。
【手続補正２０】
【補正対象書類名】明細書
【補正対象項目名】００２１
【補正方法】変更
【補正の内容】
【００２１】
また、請求項２の発明に係る画像処理装置にあっては、複数の記録条件のうち任意の記録条件を選択する第２の選択手段を備え、前記記憶手段は、前記選択手段により選択された記録媒体を示す記録先情報と、前記第２の選択手段により選択された記録条件を示す記録条件情報とを対応付けて記憶する。
【手続補正２１】
【補正対象書類名】明細書
【補正対象項目名】００２２
【補正方法】変更
【補正の内容】
【００２２】
また、請求項３の発明に係る画像処理装置にあっては、被写体を撮像し画像データを出力する撮像手段を備え、前記記録制御手段は、前記撮像手段から出力された画像データを前記第１の記録媒体に記録する手段を含む。
【手続補正２２】
【補正対象書類名】明細書
【補正対象項目名】００２３
【補正方法】変更
【補正の内容】
【００２３】
また、請求項４の発明に係る画像処理装置にあっては、前記記録条件情報は、撮影モードを示す情報であり、前記画像情報取得手段は、前記画像データに含まれている撮影モードを示す情報を取得する。
【手続補正２３】
【補正対象書類名】明細書
【補正対象項目名】００２４
【補正方法】変更
【補正の内容】
【００２４】
また、請求項５の発明に係る画像処理装置にあっては、前記記録条件情報は、前記画像データの画像内容を示す情報であり、前記画像情報取得手段は、前記画像データの画像内容を示す情報を取得する。
【手続補正２４】
【補正対象書類名】明細書
【補正対象項目名】００２５
【補正方法】変更
【補正の内容】
【００２５】
また、請求項６の発明に係る画像処理装置にあっては、前記記録条件情報は、撮影情報であり、前記画像情報取得手段は、前記画像データに含まれている撮影情報を取得する。
【手続補正２５】
【補正対象書類名】明細書
【補正対象項目名】００２６
【補正方法】変更
【補正の内容】
【００２６】
また、請求項７の発明に係る画像処理装置にあっては、前記複数の記録媒体は、当該画像処理装置に対して着脱自在な記録媒体を含む。
【手続補正２６】
【補正対象書類名】明細書
【補正対象項目名】００２７
【補正方法】変更
【補正の内容】
【００２７】
また、請求項８の発明に係る画像処理装置にあっては、前記複数の記録媒体は、当該画像記録装置に内蔵されている記録媒体を含む。
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】変更
【補正の内容】
【００３０】
また、請求項９の発明に係る画像処理装置にあっては、前記記録媒体に記録されている画像データを外部装置に出力する出力手段を備え、前記複数の記録媒体は、前記外部装置に備えられている記録媒体を含む。したがって、ユーザは所定の条件を満たす画像データの記録先として外部装置に備えられている記録媒体を選択することが可能になる。
【手続補正３０】
【補正対象書類名】明細書
【補正対象項目名】００３１
【補正方法】変更
【補正の内容】
【００３１】
また、請求項１０の発明に係る画像処理装置にあっては、前記複数の記録媒体は、異なるタイプの記録媒体を含む。したがって、ユーザは所定の条件を満たす画像データの記録先として所望のタイプの記録媒体を選択することが可能になる。
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】変更
【補正の内容】
【００３３】
また、請求項１１の発明に係る画像処理プログラムにあっては、画像データを記録する第１の記録媒体を備える画像処理装置が有するコンピュータを、前記第１の記録媒体に記録されている画像データを第２の記録媒体に記録する記録制御手段と、前記第１、第２の記録媒体を含む複数の記録媒体の中から任意の記録媒体を選択する選択手段と、この選択手段により選択された記録媒体を示す記録先情報と、該記録先情報が示す記録媒体に記録すべき画像データの条件を示す記録条件情報とを対応付けて記憶する記憶手段と、前記第１の記録媒体に記録されている前記画像データに関する画像情報を取得する画像情報取得手段と、この画像情報取得手段により取得された画像情報と合致する記録条件情報と対応付けて前記記憶手段に記憶されている記録先情報が示す記録媒体が前記第１の記録媒体であるか否かを判別する判別手段として機能させ、前記記録制御手段は、前記判別手段により第１の記録媒体でないと判別された場合、前記画像情報取得手段により取得された画像情報と合致する記録条件情報と対応付けて前記記憶手段に記憶されている記録先情報が示す記録媒体に前記第１の記録媒体に記録されている画像データを記録する。したがって、前記コンピュータがこのプログラムに従って処理を実行することにより、請求項１記載の発明と同様の作用効果を奏する。
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】変更
【補正の内容】
【００３５】
また、請求項１２の発明に係る画像処理方法にあっては、複数の記録媒体の中から任意の記録媒体を選択する工程と、前記選択された記録媒体を示す記録先情報と、該記録先情報が示す記録媒体に記録すべき画像データの条件を示す記録条件情報とを対応付けてメモリに記憶する工程と、前記複数の記録媒体のうちの１つである第１の記録媒体に記録されている画像データに関する画像情報を取得する工程と、前記取得された画像情報と合致する記録条件情報と対応付けて前記メモリに記憶されている記録先情報が示す記録媒体が前記第１の記録媒体であるか否かを判別する工程と、第１の記録媒体でないと判別された場合、前記取得された画像情報と合致する記録条件情報と対応付けて前記メモリに記憶されている記録先情報が示す第２の記録媒体に前記第１の記録媒体に記録されている画像データを記録する工程とを含む。したがって、記載した工程に従って処理を実行することにより、請求項１記載の発明と同様の作用効果を奏する。